(57)【要約】    【課題】  安全性が高く軽量で取り扱い性に優れかつ見栄えの良いベッドを提供する。    【解決手段】矩形の周囲枠を有しマットを載せる寝具載置面を有するマットフレームが載置されるベッド枠体を、縦長の伸縮脚により支持するとともに、  該伸縮脚は、床側の静止体と、該静止体に対して昇降しかつ上下複数位置で整一して係止される昇降体とを具え、この昇降体を前記ベッド枠体に固定することにより、該ベッド枠体を伸縮脚により支持したことを特徴とするベッド。【選択図】  図１
2006141639.tif 000002
【特許請求の範囲】
【請求項１】
矩形の周囲枠を有しマットを載せる寝具載置面を有するマットフレームが載置されるベッド枠体を、縦長の伸縮脚により支持するとともに、
該伸縮脚は、床側の静止体と、該静止体に対して昇降しかつ上下複数位置で整一して係止される昇降体とを具え、この昇降体を前記ベッド枠体に固定することにより、該ベッド枠体を伸縮脚により支持したことを特徴とするベッド。
【請求項２】
前記伸縮脚は、前記ベッド枠体の使用者の頭に向く頭側辺、脚が向く脚側辺の各両側に間隔を隔てて一対が配置されるとともに、前記昇降体の下部を前記ベッド枠体に固定することにより、該ベッド枠体から突き出る突出部間に宮状体を架け渡し、かつ該一対の伸縮脚と宮状体とにより脚・宮フレームを形成することを特徴とする請求項１記載のベッド。    
【請求項３】
前記伸縮脚は、前記昇降体がその間を継ぐ連結軸を介して前記ベッド枠体に固定されるとともに、前記静止体下端間を台板により継いだことを特徴とする請求項１又は２記載のベッド。
【請求項４】
前記宮状体は、板状の平板体からなり、かつ上端部は、前記伸縮脚間を継ぐ笠木により化粧されることを特徴とする請求項１〜３のいずれかに記載のベッド。
【請求項５】
前記伸縮脚は、前記静止体が軸状をなし、かつ昇降体が該静止体に外挿又は内挿される筒状をなすとともに、前記静止体又は昇降体の一方に設けられ、上下に隔設された複数の係合受部を有する被係合部と、他方に設けられ付勢手段により付勢されて何れか一の係合受部に係合する係合凸部と、昇降体の上昇に際しては前記付勢に抗して前記係合を解除する係合解除手段と、上昇端で係合凸部の係合を阻止して昇降体の下降を可能にし、かつ下降端で係合凸部の係合を復帰させる係合阻止手段とを具えることを特徴とする請求項１〜４のいずれかに記載のベッド。
【発明の詳細な説明】
【技術分野】
【０００１】
本発明は、高さ調整を簡単とし、使い勝手に優れたベッドに関する。
【背景技術】
【０００２】
ベッド使用者の年齢・体格の違い、就寝用・介護用・医療用など用途の違い、その他使用状況により異なるベッド高さを調整するため、電気モータ、油圧シリンダなど動力器で動く駆動機構を用い、寝具載置部を昇降させるベッドが用いられている。しかし、動力器で昇降するベッドは、動作時に音、振動が発生するとともにコストが嵩み、しかも大型化して重量も重いため取り扱い性に問題がある。
【０００３】
そこで、図１３に示すように、動力器を用いることなく手動で昇降するベッドが提案されている（例えば、特許文献１参照）。この手動式昇降ベッドは、床面ｆに載置される基盤ａと、この基盤ａに設けたリンク機構ｂと、このリンク機構ｂに支持されるベッド枠体ｅとを具える。前記リンク機構ｂは、前記基盤ａに、係止具ｋを具えた枢支点で枢支されＶ字状に立ち上がる下レバーｄ１、ｄ２と、前記ベッド枠体ｅの中央に枢支され逆Ｖ字状にのびる上レバーｕ１、ｕ２とからなり、上下レバーｄ１とｕ１及びｄ２とｕ２とは、中位で相互に枢着されたシザースリンク機構を形成している。このよう構成されているため、前記係止具ｋを解除したベッド枠体ｅを手動で昇降させ、再度係止具ｋをロックすることによりベッド高さを調整することができる。
【０００４】
【特許文献１】特開平９−３２７３５４号公報
【発明の開示】
【発明が解決しようとする課題】
【０００５】
しかしながら、前記リンク機構ｂは、レバー、係止具ｋなど多数の機械部品を立体的に組み立てた複雑な装置であるため、レバーの枢支部、摺動部の一部に狂い、潤滑不足が生じると、昇降動作にガタつき、動作不良を生じてメンテナンスに手間がかかり、かつ動力器を用いないものの重量が増加して移動などの取り扱いが不便である。さらに、リンク機構ｂが露呈するため見栄えを損なうとともに、可動部をカバーするなど安全面での改善が求められる。
【０００６】
本発明は、床側の静止体と、該静止体に対して昇降する昇降体をベッド枠体に固定することにより、該ベッド枠体を支持することを基本とし、軽量で取り扱い性、安全性に優れかつ見栄えが良いベッドの提供を課題としている。
【課題を解決するための手段】
【０００７】
前記目的を達成するために、請求項１に係る発明は、矩形の周囲枠を有しマットを載せる寝具載置面を有するマットフレームが載置されるベッド枠体を、縦長の伸縮脚により支持するとともに、該伸縮脚は、床側の静止体と、該静止体に対して昇降しかつ上下複数位置で整一して係止される昇降体とを具え、この昇降体を前記ベッド枠体に固定することにより、該ベッド枠体を伸縮脚により支持したことを特徴とする。
【０００８】
請求項２に係る発明では、前記伸縮脚は、前記ベッド枠体の使用者の頭に向く頭側辺、脚が向く脚側辺の各両側に間隔を隔てて一対が配置されるとともに、前記昇降体の下部を前記ベッド枠体に固定することにより、該ベッド枠体から突き出る突出部間に宮状体を架け渡し、かつ該一対の伸縮脚と宮状体とにより脚・宮フレームを形成することを特徴とする。なおここで昇降体の突出部間に宮状体を架け渡すとは、宮状体の両側部が突出部に固着されるか否かは問わず、宮状体が昇降体の突出部間に配されることをいう。
【０００９】
請求項３に係る発明では、前記伸縮脚は、前記昇降体がその間を継ぐ連結軸を介して前記ベッド枠体に固定されるとともに、前記静止体下端間を台板により継いだことを特徴とし、また請求項４の宮状体は、板状の平板体からなり、かつ上端部は、前記伸縮脚間を継ぐ笠木により化粧されることを特徴とする。
【００１０】
請求項５に係る発明では、前記伸縮脚は、前記静止体が軸状をなし、かつ昇降体が該静止体に外挿又は内挿される筒状をなすとともに、前記静止体又は昇降体の一方に設けられ、上下に隔設された複数の係合受部を有する被係合部と、他方に設けられ付勢手段により付勢されて何れか一の係合受部に係合する係合凸部と、昇降体の上昇に際しては前記付勢に抗して前記係合を解除する係合解除手段と、上昇端で係合凸部の係合を阻止して昇降体の下降を可能にし、かつ下降端で係合凸部の係合を復帰させる係合阻止手段とを具えることを特徴とする。
【発明の効果】
【００１１】
請求項１に係る発明は、静止体とベッド枠体に固定される昇降体とを組み合わせ、手動で長さ調整しうるシンプルな伸縮脚によりベッド枠体が支持されるため、ベッドが軽量化できて移動など扱いを容易とし、簡易ベッドにも使用できる。しかも軽量な上、昇降操作を簡単に行えるとともに安全性に優れるため、高齢者、年少者でも安心して取り扱いできる。また構造シンプルな伸縮脚は、故障が少なくメンテナンス容易であり、更に縦長のスマートな伸縮脚により支持されるため外観がスッキリし、見栄えが優れる。
【００１２】
請求項２に係る発明では、昇降体の下部をベッド枠体に固定するとともにベッド枠体から上方に突き出して配されるため、静止体に対し長いストロークで昇降でき、ベッドの昇降高さを充分大きく設定しうる。またベッド枠体から上方に突き出す昇降体は、宮状体の両側部に配されて、宮状体の縁取りとしてアクセントを与えるため、優れた意匠性が得られる。
【００１３】
請求項３に係る発明では、伸縮脚が連結軸及び台板を介して連結されて剛性の高い矩形状の枠体が構成されるため、ベッド枠体が確り支持されて堅牢なベッドが構成され、また請求項４に係る発明では、伸縮脚は、笠木を介して上端部が連結されるため、ベッドの支持強度が更に堅固となり、また宮状体の上端部が笠木により化粧されるため、見栄えが向上する。
【００１４】
請求項５に係る発明では、昇降体の持ち上げにより、係合凸部が複数の係合受部に順次係合され、伸縮脚の長さを複数段に可変できるため、ベッド高さを任意に調整しうる。さらに係合阻止手段により、最大長さに伸ばされた伸縮脚を最小長さに縮小でき、再度昇降体の持ち上げにより、ベッドの高さ調整を繰り返し行なうことができる。
【発明を実施するための最良の形態】
【００１５】
以下、本発明の実施の一形態を、図示例とともに説明する。図１に示すように、ベッド１は、ベッド枠体５と、このベッド枠体５を支持する伸縮脚６と、前記ベッド枠体５の上で支持されるマットフレーム４とを具える。
【００１６】
前記ベッド枠体５は、フレーム体２１を有し、使用者の頭側の前部から後部に連続してのびる飾り側板２３を両側部に設けている。前記フレーム体２１は、周囲枠２と、この周囲枠２の内側に架け渡され、前後にのびる補強桟２１Ａと、巾方向にのびる補強桟２１Ｂとからなる。さらに前記周囲枠２は、使用者の頭側の前部及び後部の間を連続してのびる左右の側枠２Ｓ、２Ｓと、この側枠２Ｓ、２Ｓの前後端部をつないで、巾方向にのびる前枠２Ｆ、及び後枠２Ｂとからなり、矩形状をなす。なお前記側枠２Ｓ、前枠２Ｆ及び後枠２Ｂは、同一断面の縦長角パイプが用いられている。
【００１７】
また前記周囲枠２には、その外側部を覆って飾り側板２３が取り付けられる。前記飾り側板２３は、側枠２Ｓと略同じ長さを有する長尺板状をなし、図２に示すように、内側に段部２５を有して縦断面略Ｌ字状に形成される。さらに前後端部には、内側に直角に折れ曲がる折り曲げ片２４が設けられる。そして、この飾り側板２３は、前記段部２５を側枠２Ｓの外側面及び下面に沿わせて配され、側枠２Ｓを上下に貫通するビス（図示せず）を前記段部３２の下面に打ち込むことにより、側枠２Ｓに沿い固着される。飾り側板２３は、側枠２Ｓを覆って外観を高めるとともにフレーム体２１の曲げ剛性を補強している。
【００１８】
前記伸縮脚６は、図３に示すように、床側に配される静止体７と、この静止体７と係合しこれに対して昇降する昇降体８とを具え、縦長に構成される。ここで縦長とは、上下方向の長さ、即ち高さが増減しうることをいう。また静止体７又は昇降体８は、円筒、角筒などの筒状体、断面円形状、矩形状、コ字状、Ｌ字状、Ｚ字状など上下にのびる軸状体、及び前記軸状体が中空に形成されたものその他の形状のものが用いられる。そして、静止体７、昇降体８は一方が他方の内部に挿入され、或いは相互に上下移動可能に係合するなどして、昇降体８が静止体７に対して昇降可能に構成される。本形態の静止体７は中空の軸状をなし、かつ円筒状の昇降体８が前記静止体７に外挿することにより上下にスライドし、その結果伸縮脚６が伸縮できる。しかも静止体７の上端部外周に取り付けた上ブッシュ２８Ｕが昇降体８の内周面に摺接し、かつ昇降体８の下端部内周に取り付けた下ブッシュ２８Ｄが静止体７の外周面に摺接するため、昇降体８がガタつきなくスムースに上下動しうる点で好ましい。
【００１９】
また本形態の伸縮脚６には、更に上下に複数の係合受部１３を有する被係合部１４と、前記係合受部に係合して伸縮脚６を必要長さでロックしうる係合ユニット２２とを具える。本形態の被係合部１４は、図３、４に示すように、断面コ字状で縦にのびる中軸体１４Ａからなり、上端部が外側へ略く字状に折れ曲がった固定部２６が形成され、かつ上部に切起しなどにより形成されて水平に突出する上制御片２７Ｕ、下部に同様の下制御片２７Ｄを有する。そして、前記上下の制御片２７Ｕ、２７Ｄ間に穿設された係合孔１３Ａからなる係合受部１３が複数個（本形態では４個が）隔設される。前記中軸体１４Ａは、昇降体８及び昇降体８に内挿された静止体７の内部に挿入され、かつ前記固定部２６が昇降体８上端の内周面に螺着される。これにより中軸体１４Ａは、昇降体８及び静止体７の内部で下に向け垂直にのびるとともに一側に偏位して配置される。
【００２０】
前記係合ユニット２２は、本形態では図４に示すように、向き合う小高さの側板２９Ｓ、２９Ｓ及びこの側板２９Ｓ、２９Ｓの一方側部を継ぐ背板２９Ｂを有し、他方側部に開口３７が開設された溝形容器２９と、この溝形容器２９内に配されるスライダ３３と、ロックレバー３４とを含み構成されたものを例示している。
【００２１】
前記溝形容器２９は、一方の側板２９Ｓに縦にのびる第１の長孔３１が設けられ、また側板２９Ｓ、２９Ｓ間に枢支軸３０が架け渡される。そして、この溝形容器２９は、静止体７の上部に挿入され、前記開口３７が前記被係合部１４に向き合う方向に取り付けられる。
【００２２】
前記スライダ３３は、前記第１の長孔３１を設けた方の側板２９Ｓの内側に沿う基板３５と、この基板３５の被係合部１４寄りの前端部が折れ曲がった前板３６とからなり断面Ｌ字状をなす。前記前板３６は、上下端部により上当り部４１、下当り部４２が形成され、中間には係合窓３８が形成される。この係合窓３８より低い前板３６部分により阻止片３９が形成され、この阻止片３９には表面が小さく凹んだ引っ掛け凹部４０が設けられる。また前記基板３５は、上部にボルトからなるスライドピン４３を外向きに突設し、下部には縦にのびる第２の長孔４４が形成される。そして、この第２の長孔４４に前記溝形容器２９の枢支軸３０が挿通するとともに溝形容器２９の第１の長孔３１に前記スライドピン４３を挿通させることにより、スライダ３３は溝形容器２９内で昇降可能に支持され、図５に示す上端位置と、図６に示す下端位置との間で上下動しうる。
【００２３】
前記ロックレバー３４は、溝形容器２９内において開口３７側から背板２９Ｂ下部に斜めにのびる板状をなす。このロックレバー３４は、開口３７側の上端部に前記被係合部１４に向く係合凸部１６が突設され、背板２９Ｂ側の下端部には、この背板２９Ｂに当接しうる当り４５が設けられる。また前記係合凸部１６には、下部を斜めに形成したテーパ部４６が設けられる。前記ロックレバー３４は、中位を前記枢支軸３０により枢支されるとともに、枢支軸３０に巻回されたねじりバネからなる付勢手段１５によって係合凸部１６が被係合部１４に向け押出す方向に付勢され、常時は前記当り４５が背板２９Ｂに当接した状態で静止している。
【００２４】
図３に示すように、昇降体８が下降して、係合凸部１６が最上位の係合孔１３Ａに向き合う場合、付勢手段１５により付勢された係合凸部１６は、係合孔１３Ａ内に挿入するとともに係合孔１３Ａの上縁部に係合し、これにより昇降体８に付加する荷重が支持される。このとき、前記スライダ３３は、スライドピン４３が第１の長孔３１の下端に係合し、或いは第２の長孔４４の上端が枢支軸３０に係合することにより係合窓３８が係合凸部１６を挿通させる高さに維持される。
【００２５】
次に伸縮脚６を伸ばすため昇降体８を持ち上げると、被係合部１４の前記係合孔１３Ａも同時に上昇する。このとき、係合凸部１６の前記テーパ部４６が係合孔１３Ａの下縁部に押し上げられ、ロックレバー３４が付勢手段１５の付勢に抗し、（図３上で）右廻りに小角度回動する。その結果、係合凸部１６と係合孔１３Ａとの係合が解除され、係合凸部１６の先端部が被係合部１４の表面を摺動しながら、昇降体８をスムースに持ち上げることができる。そして下位の係合孔１３Ａが上昇して係合凸部１６に向き合う高さまで昇降体８が持ち上げられると、係合凸部１６が該下位の係合孔１３Ａに再び係合し、これにより一段上の高さで昇降体８に負荷する荷重が支持される。更に昇降体８を持ち上げると前記動作が連続され、伸縮脚６の長さを順次引き伸ばすことがきる。なお前記テーパ部４６により、昇降体８の上昇に際し前記付勢に抗し係合凸部１６の係合を解除しうる係合解除手段１７が形成される。
【００２６】
そして係合凸部１６が最も下位の係合孔１３Ａに係合し、最も高く上昇した昇降体８を、低く下げて再度高さ調整する場合には、図５に示すように、更に少し昇降体８を持ち上げると、上昇した中軸体１４Ａの下制御片２７Ｄが前記下当り部４２を押し上げ、これによりスライダ３３が自重に抗して上昇する。そして前記上昇するスライダ３３の阻止片３９が、付勢手段１５に押されて係合窓３８から中軸体１４Ａに向けて突出していた係合凸部１６のテーパ部４６を押し上げ、これによりロックレバー３４を図面上右廻りに回動させる。また前記係合窓３８が上に移動し、替わりに係合凸部１６の前面を前記阻止片３９が遮蔽して、係合凸部１６は阻止片３９の内側に押し戻され係合孔１３Ａとの係合が不可となり、その結果昇降体８の下降が可能となる。なおこのとき係合凸部１６の先端部は、前記阻止片３９の引っ掛け凹部４０に係合して押し戻し状態が維持される。
【００２７】
前記の如く、係合凸部１６の係合を阻止したまま、昇降体８を下まで降下させると、図６に示すように、降下した中軸体１４Ａの上制御片２７Ｕが前記スライダ３３の上当り部４１を押し下げることにより、前記引っ掛け凹部４０の係合が外れてスライダ３３が下降する。そして前記係合窓３８が、係合凸部１６と向き合う位置まで下がると、付勢手段１５に付勢された係合凸部１６が係合窓３８から突出して、その先端が中軸体１４Ａに当接するまで図面上左廻りに回動する。この状態で、係合凸部１６が最上位の係合孔１３Ａに向き合う位置に至るまで昇降体８を引き上げると、再び係合凸部１６が係合孔１３Ａと係合して昇降体８が支持される。
【００２８】
前記操作の繰り返しにより、４個の係合孔１３Ａを設けた本形態においては、図１１に示すように、伸縮脚６の高さを４段階に調整できる。また係合孔１３Ａの間隔、個数の変更により、使用条件に応じて調整ピッチ、段数を任意に設定できる。更に前記実施形態とは反対に、被係合部１４を静止体７に設け、係合凸部１６を昇降体８に設けることもできる。なお前記のごとく構成されたスライダ３３と、上下の制御片２７Ｕ、２７Ｄとにより、上昇端で係合凸部１６の係合を阻止して昇降体８の下降を可能にし、かつ下降端で係合凸部１６の係合を復帰させる係合阻止手段１８が形成される。
【００２９】
前記の如く構成された伸縮脚６は、図２、７に示すように、一対の伸縮脚６の昇降体８の下部相互が角パイプ状の連結軸１０で連結され、この連結軸１０が前記ベッド枠体５の前枠２Ｆ、後枠２Ｂに各々固着具４７で固着される。このようにして一対の伸縮脚６が、ベッド枠体５の前後辺の両側部に間隔を隔てて配置固着され、その結果ベッド枠体５が支持される。従って図１２（Ａ）に示すように、使用者がベッド枠体５の一方、例えば前部を持ち上げることにより、図１２（Ｂ）のように、前部に配された一対の伸縮脚６の昇降体８が一段階上昇して係止される。次いで図１２（Ｃ）に示すように、ベッド枠体５の他方（後部）を持ち上げることにより、後部に配された一対の伸縮脚６の昇降体８も同様にして一段階上昇して係止され、その結果前後の昇降体８が同高さに整一して係止されるためベッドが一段上昇したレベルで水平に支持される。そしてこの操作を繰り返して、昇降体８を複数位置で係止することにより、図１１に示すように、本形態ではベッド枠体５をＨ１〜Ｈ４の４段階に調整しうる。Ｈ１は例えば２２０〜３００ｍｍ程度、本形態では２６０ｍｍとし、Ｈ２は３２０〜３９０ｍｍ程度、本形態は３６０ｍｍ、Ｈ３は４１０〜４７０ｍｍ程度、本形態は４４０ｍｍ、Ｈ４は４９０〜５５０ｍｍ程度、本形態は５２０ｍｍとしている。そして前記係合孔１３Ａの位置、個数及び間隔を変えることにより、ベッド枠体５を任意のレベル、段数及びピッチで高さ調整できる。なお前記ベッド枠体５の高さ調整操作は、２人の操作者が前後部を同時に持ち上げて行うこともでき、この時にはベッド枠体５の水平状態を維持しつつ効率的に作業できる。
【００３０】
叙上の如く構成されるベッドは、駆動器、複雑なリンク機構などを用いることなく、静止体とベッド枠体５に固定される昇降体８とを組み合わせ、手動で長さ調整しうるシンプルな伸縮脚６によりベッド枠体５が支持されるため、軽量化され移動、収納などの取り扱いが容易となり、簡易ベッドなどにも使用できる。軽量な上、簡単に昇降操作でき、かつスライダ３３、ロックレバー３４など動作部分を伸縮脚６内部に装備して安全性を高めたため、高齢者、年少者でも取り扱いが可能となる。また伸縮脚６は、構造がシンプルなため、故障が少なく、メンテナンス作業も殆ど必要としない。しかも縦長のスマートな伸縮脚６により支持されるベッドは、外観がスッキリし、見栄えが優れる。
【００３１】
なお本形態では、前記連結軸１０による固着に加え、昇降体８に連結軸１０と同高さの固定プレート４８を設け、固定プレート４８を介して昇降体８をベッド枠体５に固着しているため、ベッド枠体５の支持強度が更に安定する点で好ましい。また前記固定プレート４８は、前記飾り側板２３の折り曲げ片２４裏面に設けられた凹所２４Ａに収容される。そのため固定プレート４８は、折り曲げ片２４に隠されるため、見栄えが高まる点で好ましい。
【００３２】
また本形態の昇降体８は、図２に示すように、その中間よりも下部においてベッド枠体５に固定され、その上部はベッド枠体５から上方に突き出して取り付けられる。そのため静止体７に対して比較的長いストロークで昇降でき、ベッドの昇降高さを充分大きく設定しうる点で好ましい。また前記ベッド枠体５から上方に突き出た昇降体８の間に宮状体９が架け渡される。ここで宮状体９とは、前部、後部に配されるヘッドボード、フットボードの双方を含み、板状に成形された木材、ＭＤＦ（中密度繊維板）、人工木材、プラスチック、金属その他の平板体が用いられる。そして一対の伸縮脚６、６と宮状体９とで脚・宮フレーム１９が形成される。前記脚・宮フレーム１９とは、両側の伸縮脚６、６と前記宮状体９とがベッド巾方向に連続的に配されて形成された構成をいう。この脚・宮フレーム１９では、伸縮脚６が、宮状体９の両側部に配されて、宮状体９の縁取りとしてアクセントを与えるため、優れた意匠性が得られる点で好ましい。
【００３３】
前記宮状体９は、本形態では、図２に示すように、下部がアングル状の取り付け金具４９を介して周囲枠２に固着される。さらに宮状体９の上部には、ベッド巾方向にのびるとともに下部に支持溝５０を有し、かつ伸縮脚６間に架け渡される笠木１２が配される。この笠木１２は、図８に示すように両端下部に支持穴５１が形成され、この支持穴５１に嵌合した伸縮脚６の上部とボルト５２を用いて固着される。そして前記宮状体９は、その上辺を前記支持溝５０に嵌合し、これにより笠木１２を介して伸縮脚６に支持され、しかも前記伸縮脚６、６上端部間が笠木１２により連結されるため、前記脚・宮フレーム１９の一体性が高まり剛性を向上する点で好ましい。また前記笠木１２により、宮状体９及び伸縮脚６の上部が連続的に覆われて化粧されるため、装飾性が向上する点で好ましい。
【００３４】
本形態では、伸縮脚６、宮状体９を順次ベッド枠体５に固着して脚・宮フレーム１９を形成するものが例示されるが、予め伸縮脚６、宮状体９を組合わせ脚・宮フレーム１９を一体化した後、ベッド枠体５に取り付けることも良い。更に前記宮状体９の側部と伸縮脚６とを、固定金物、固着具などを用いて固着すると、脚・宮フレーム１９の剛性を更に高めることがきる。
【００３５】
前記一対の伸縮脚６の静止体７の下端部間は、床面に載置されてベッド巾方向にのびる台板１１により連結される。本形態の台板１１は、偏平円管状のパイプ材が用いられ、図９に示すように、ハット状の固定具５３を介して静止体７の下端部に緊結される。伸縮脚６の下部を台板１１で継ぐことにより、前記連結軸１０と相俟って前記脚・宮フレーム１９の剛性が向上する点で好ましい。なお台板１１の端部には、キャップ５４が冠着されて安全性、見栄えを高めている。また前後に配された台板１１、１１は、図２に示すように、その中間部が継ぎ軸５５により連結される。継ぎ軸５５の端部は、図１０に示すように台板１１の中間に設けられた溝状の受具５６を介して、台板１１に緊結される。このように前後の脚・宮フレーム１９、１９の下部が連結されると、ベッドが一層堅牢となる点で好ましい。
【００３６】
前記マットフレーム４は、図１に示すように、前記周囲枠２よりも少し小巾で矩形の外周枠５７Ａとこの外周枠５７Ａの内側に配された補強枠５７Ｂとにより構成され、ベッド枠体５上でその中央に配置される。また前記マットフレーム４の上部には、ベッド巾方向にのびる複数枚の長板５８が、隙間を隔てて前後に平行に取り付けられたすのこ状部５９が形成される。そしてこのすのこ状部５９の表面により、マットＭを載せる寝具載置面３を形成している。なお前記隙間の巾は、例えば７〜２５ｍｍ程度、本形態は１３ｍｍである。また長板５８には、抗菌、防臭、通気性に優れた桐を用いることが好ましく、この他、檜、杉、ファルカタなどを用いることもできる。さらに、ベッド両側に小高さで立ち上がるつかみ具６０Ａ、６０Ａを、前記隙間を通る通し軸６０Ｂにより連結した握り板ユニット６０が、マットフレーム４に装着されている。
【００３７】
なお叙上の説明は本発明の実施の形態を例示したものであり、本発明の技術的範囲はこれに限定されるものではない。
【図面の簡単な説明】
【００３８】
【図１】本発明の一実施の形態を例示する分解斜視図である。
【図２】その要部拡大斜視図である。
【図３】伸縮脚の縦断面図である。
【図４】その要部拡大斜視図である。
【図５】その動作状態を説明する要部拡大縦断面図である。
【図６】その異なる動作状態を説明する要部拡大縦断面図である。
【図７】伸縮脚の取り付け状態を説明する要部拡大断面図である。
【図８】図２のＡ−Ａ断面図である。
【図９】伸縮脚の下部の断面図である。
【図１０】台板と継ぎ軸の接続部の拡大斜視図である。
【図１１】ベッド枠体の昇降状態を説明する略図である。
【図１２】（Ａ）（Ｂ）（Ｃ）はベッドを上昇させる操作を順次説明した側面図である。
【図１３】従来例の側面図である。
【符号の説明】
【００３９】
１      ベッド
２      周囲枠
３      寝具載置面
４      マットフレーム
５      ベッド枠体
６      伸縮脚
７      静止体
８      昇降体
９      宮状体
１０      連結軸
１１      台板
１２      笠木
１３      係合受部
１４      被係合部
１５      付勢手段
１６      係合凸部
１７      係合解除手段
１８      係合阻止手段
１９      脚・宮フレーム
Ｍ      マット
【図１】
2006141639.tif 000003
【図２】
2006141639.tif 000004
【図３】
2006141639.tif 000005
【図４】
2006141639.tif 000006
【図５】
2006141639.tif 000007
【図６】
2006141639.tif 000008
【図７】
2006141639.tif 000009
【図８】
2006141639.tif 000010
【図９】
2006141639.tif 000011
【図１０】
2006141639.tif 000012
【図１１】
2006141639.tif 000013
【図１２】
2006141639.tif 000014
【図１３】
2006141639.tif 000015